(57)【要約】  本発明は、Ｇタンパク質共役受容体であって、以下ＧＰＣＲと称されるものとする前記Ｇタンパク質共役受容体と変異可能なリガンドとの結合能を決定するための方法において、前記方法が、以下のステップ：ａ）第一の行数および第二の列数を有する配列状に配置されたウェルを有するウェルマイクロタイタープレートを準備するステップ；ｂ）ＧＰＣＲ、例えばロドプシンを前記ウェルの各々に供給するステップ；ｃ）親リガンドの多数の変異体を準備するステップであって、その際、前記親リガンドは、前記ＧＰＣＲが特定の立体構造で存在している場合に前記ＧＰＣＲに結合するリガンドであるものとする、前記ステップ；ｄ）前記ウェル中の親リガンドの変異体を、前記親リガンドが前記ＧＰＣＲに結合する条件下に、前記ＧＰＣＲと接触させるステップ；ｅ）各々の変異体について、前記ウェル中の結合した変異体−ＧＰＣＲ複合体の量を測定することにより、前記変異体リガンドが、前記親リガンドと前記ＧＰＣＲとの標準的な結合能と比較して弱い結合能を有しているかまたは強い結合能を有しているかを決定するステップを含む前記方法を提供する。アッセイにおいて、完全なアレスチンの配列をカバーする４０３種の変異体のロドプシン結合を検査した。この情報は、不活性型、予備活性化型および活性型アレスチンの結晶構造に対して機能的な第４の次元を提供する。得られた単一アミノ酸分割機能マップによって、極性コア内での、およびアレスチン活性化の間に中断されるアレスチンのＣ尾部に沿った、一連の重要な相互作用が明らかとなる。本発明者らはさらに、結合を強度に減少させかつロドプシンへの直接結合インターフェースとして作用するアミノ酸の複数のパッチを明らかにした。この情報と、活性型アレスチン4および光活性化ロドプシンの計算分子ドッキングとを組み合わせることにより、アレスチン−ロドプシン複合体のモデルを創出することができる。変異体の組み合わせによって、診断目的または薬理学的介入創薬のためのＧＰＣＲ−リガンド複合体の結合親和性および安定性の変更が可能となる。
2016526664.tif 000002
【特許請求の範囲】
【請求項１】
Ｇタンパク質共役受容体（以下、ＧＰＣＲと称する）と変異可能なリガンドとの結合能を測定するための方法において、前記方法が、以下のステップ：
ａ．第一の行数および第二の列数で配置されたウェルを有するウェルマイクロタイタープレートを準備するステップ；
ｂ．ＧＰＣＲ、例えばロドプシンを前記ウェルの各々に供給するステップ；
ｃ．親リガンドの多数の変異体を準備するステップであって、その際、前記親リガンドは、前記ＧＰＣＲが特定の立体構造で存在している場合に前記ＧＰＣＲに結合するリガンドであるものとする、前記ステップ；
ｄ．前記ウェル中の親リガンドの変異体を、前記親リガンドが前記ＧＰＣＲに結合する条件下に、前記ＧＰＣＲと接触させるステップ；および
ｅ．各々の変異体について、前記ウェル中の結合した変異体−ＧＰＣＲ複合体の量を測定することにより、前記変異体リガンドが、前記親リガンドと前記ＧＰＣＲとの標準的な結合能と比較して弱い結合能を有しているかまたは強い結合能を有しているかを決定するステップ
を含む、前記方法。
【請求項２】
各行または各列において同一の変異体を使用し、その際、前記ウェル中の環境条件、例えば塩濃度が、前記行または列においてウェルごとに変化する、請求項１に記載の方法。
【請求項３】
前記環境条件が、同一の行または同一の列に属するウェルにおいて一定である、請求項１または２に記載の方法。
【請求項４】
前記親リガンドを、前記ウェルマイクロタイタープレートの同一の行または同一の列に属する全てのウェルに添加する、請求項１から３までのいずれか１項に記載の方法。
【請求項５】
前記変異体の１種以上を可溶化形で準備する、請求項１から４までのいずれか１項に記載の方法。
【請求項６】
前記親リガンドがリガンドのアゴニストクラスに由来しかつ前記特定の立体構造がアゴニスト立体構造であるか、または前記親リガンドがリガンドのアンタゴニストクラスに由来しかつ前記特定の立体構造がアンタゴニスト立体構造であるか、または前記親リガンドがリガンドのインバースアゴニストクラスに由来しかつ前記特定の立体構造がインバースアゴニスト立体構造である、請求項１から５までのいずれか１項に記載の方法。
【請求項７】
前記親リガンドが、フルアゴニスト、パーシャルアゴニスト、インバースアゴニスト、アンタゴニストのいずれか１つである、請求項１から６までのいずれか１項に記載の方法。
【請求項８】
前記親リガンドがＧＰＣＲに結合するポリペプチドである、請求項１から７までのいずれか１項に記載の方法。
【請求項９】
前記ポリペプチドが、抗体、アンキリン、Ｇタンパク質、ＲＧＳタンパク質、アレスチン、ＧＰＣＲキナーゼ、受容体チロシンキナーゼ、ＲＡＭＰ、ＮＳＦ、ＧＰＣＲ、ＮＭＤＡ受容体サブユニットＮＲ１またはＮＲ２ａ、カルシオン、フィブロネクチンドメインフレームワーク、またはＧＰＣＲに結合するそれらの断片若しくは誘導体のいずれかである、請求項１から８までのいずれか１項に記載の方法。
【請求項１０】
前記親リガンドの変異体を、親アミノ酸残基が１種以上の変異アミノ酸残基に置き換わった形態で準備する、請求項１から９までのいずれか１項に記載の方法。
【請求項１１】
前記親アミノ酸残基を個々にアラニン／グリシンに変異させる、請求項７に記載の方法。
【請求項１２】
前記親リガンドが、アレスチン１、アレスチン２、アレスチン３およびアレスチン４のうちの１つである、請求項８に記載の方法。
【請求項１３】
前記親リガンドよりも高いＧＰＣＲへの結合親和性を有するリガンドの変異体が、創薬の候補であり、好ましくは本明細書の第２表に挙げられた選択された変異体である、請求項１から１２までのいずれか１項に記載の方法。
【請求項１４】
変異体リガンド、好ましくは請求項１から１３までのいずれか１項に記載の方法により特定された変異体リガンドとＧＰＣＲとの対であって、前記対の結合安定性が、親リガンドと前記ＧＰＣＲとからなる対と比較して高い、前記対。
【請求項１５】
変異体リガンド、好ましくは請求項１から１３までのいずれか１項に記載の方法により特定された変異体リガンドとＧＰＣＲとの対であって、前記対の結合安定性が、親リガンドと前記ＧＰＣＲとからなる対と比較して低い、前記対。
【請求項１６】
アレスチン型の親リガンドの変異体リガンド、好ましくは請求項１から１３までのいずれか１項に記載の方法により特定された変異体リガンド、好ましくは本明細書の第２表に挙げられた変異体であって、ＧＰＣＲとの結合安定性が、前記親リガンドと前記ＧＰＣＲとの対よりも高い、前記変異体リガンド。
【請求項１７】
アレスチン型の親リガンドの変異体リガンド、好ましくは請求項１から１３までのいずれか１項に記載の方法により特定された変異体リガンドであって、ＧＰＣＲとの結合安定性が、前記親リガンドと前記ＧＰＣＲとの対よりも低い、前記変異体リガンド。
【請求項１８】
親リガンドとＧＰＣＲとの結合親和性と比較して高いかまたは低いＧＰＣＲに対する親和性に向けて最適化された変異体リガンドを用いた相補性アッセイを用いた薬物スクリーニングにおける、請求項１４若しくは１５に記載の対の、または請求項１６若しくは１７に記載の変異体リガンドの、使用。
【発明の詳細な説明】
【技術分野】
【０００１】
本発明は、変異可能なリガンドとＧタンパク質共役受容体（ＧＰＣＲ）との結合能を決定するための方法に関する。さらに本発明は、特定の変異体リガンド、並びに変異体リガンドとＧＰＣＲとの特定の対、並びに前記変異体リガンドのおよび／または前記変異体リガンドとＧＰＣＲとの対の特定の使用に関する。
【０００２】
Ｇタンパク質共役受容体（ＧＰＣＲ）は、適切なリガンドに結合した場合に細胞の外部からのシグナルを伝達する７回膜貫通型ドメイン受容体の大きなクラスである。ＧＰＣＲは、例えば嗅覚や視覚といった感覚的知覚への関与や、リガンドが性質およびサイズの点で大幅に異なるフェロモン、ホルモンおよび神経伝達物質への応答といった、無数の機能を有している。ＧＰＣＲは、行動および気分、免疫系、交感神経系および副交感神経系、細胞密度検知に作用することができ、その経路にはＧＰＣＲが関与する付加的な生理活性が存在しうる。ＧＰＣＲは多くの疾患に関与しており、製薬会社の活発なターゲットとなっている。
【０００３】
上記の通り、ＧＰＣＲは多種多様の生理学的プロセスに関与している。その生理学的役割のいくつかの例として、以下のものが挙げられる：
１．視覚：オプシンは光異性化反応を用いて電磁放射線を細胞シグナルへと変換する。例えばロドプシンは、この目的のために１１−シス−レチナールからオールトランスレチナールへの変換を用いる。
２．嗅覚： 嗅上皮の受容体が匂い物質（嗅覚受容体）およびフェロモン（鋤鼻受容体）に結合する。
３．行動や気分の制御：哺乳動物の脳内の受容体が、セロトニン、ドーパミン、γ−アミノ酪酸およびグルタミン酸などの異なるいくつかの神経伝達物質に結合する。
４．免疫系活性および炎症の制御：ケモカイン受容体が、免疫系の細胞の間の細胞間コミュニケーションを媒介するリガンドに結合する；例えばヒスタミン受容体などの受容体は炎症性メディエーターに結合し、かつ炎症反応において標的細胞型と結合する。
５．自律神経系の伝達：交感神経系および副交感神経系の双方が、例えば血圧、心拍数および消化プロセスといった身体の数多くの自発運動機能の制御を担うＧＰＣＲ経路によって調節されている。
６．細胞密度感知：新規ＧＰＣＲは、細胞密度感知の制御の役割を担う。
７．恒常性の調節（例えば水分バランス）
８．ある種の腫瘍の増殖および転移に関与。
【０００４】
ＧＰＣＲは、立体構造変化をもたらす外部シグナルによって活性化される。受容体が結合するとすぐにＧタンパク質が活性化され、このＧタンパク質がＡＴＰに結合するものと考えられる。Ｇタンパク質は三量体であり、活性化の際にＧＴＰ（グアノシン三リン酸）をＧＤＰ（グアノシン二リン酸）へと変換する。活性型ＧＰＣＲはタンパク質共役受容体キナーゼによってリン酸化される。多くの場合、リン酸化の際にリン酸化受容体はアレスチンに結合する。このアレスチンへの結合がＧＰＣＲの転座または他の成果をもたらしうる。
【０００５】
刺激に応答して、ＧＰＣＲはヘテロ三量体Ｇタンパク質を活性化する。この応答を止めるため、または持続する刺激に適応するため、活性型受容体は脱感作される必要がある。第一段階は、Ｇタンパク質共役受容体キナーゼ（ＧＲＫ）と称されるセリン／トレオニンキナーゼのクラスによるリン酸化である。ＧＲＫによるリン酸化によって特に、アレスチン結合のための活性型受容体がもたらされる。この受容体にアレスチンが結合することによって、さらなるＧタンパク質媒介シグナル伝達が遮られ、かつ受容体が内在化に向けられ、かつシグナルが例えばβ−アレスチンシグナル伝達などの他のＧタンパク質非依存経路へと向け直される。ＧＰＣＲに加えて、アレスチンは、細胞表面受容体のその他のクラスや様々なその他のシグナル伝達タンパク質に結合する。
【０００６】
アレスチンは、複数の分子内相互作用が２つのドメインの相対配置を保持している細長い分子である。刺激のない細胞では、アレスチンはこの基底「不活性」立体構造で細胞質に局在している。活性型リン酸化ＧＰＣＲはアレスチンを細胞膜に局在化させる。受容体の結合により、２つのアレスチンドメインの移動を伴う全体的な立体構造変化、並びに、クラスリンおよびＡＰ２結合部位を含むそのＣ末端尾部の解放が誘導される。受容体結合型アレスチンにおけるこれらの部位への接近可能性が高まると、アレスチン−受容体複合体は被覆ピットの対象となる。アレスチンは微小管（細胞「骨格」の一部）にも結合し、そこでは遊離型とも受容体結合型とも異なる立体構造をとっていると考えられる。微小管結合型アレスチンはある種のタンパク質を細胞骨格へと集める。これは、アレスチンの活性に影響を与え、かつ／または、これを微小管結合タンパク質へと向け直す。アレスチンは細胞核と細胞質との間を往復する。これらの核での機能は目下鋭意研究中であり、哺乳類の４種全てのアレスチンサブタイプが、例えばプロテインキナーゼＪＮＫ３またはユビキチンリガーゼＭｄｍ２といったその相手のいくつかを核から取り去ることが明らかにされている。
【０００７】
また、アレスチンはある遺伝子の転写を増強することによって遺伝子発現を変更する。
【０００８】
哺乳類は４種類のアレスチンサブタイプを発現しており、それぞれのアレスチンサブタイプは複数の別名で知られている。系統的なアレスチンの名称（１−４）に加えて、最も広く用いられている別名を以下に太字で示す：
・アレスチン−１は、元々ブドウ膜炎（眼の自己免疫疾患）の原因となるＳ−抗原（ＳＡＧ）として同定され、その後、双方が全く同一であることが明らかとなる前に、光活性化リン酸化ロドプシンに結合する４８ｋＤａのタンパク質として独立して記述された。これは後に視覚アレスチン（visual arrestin）と改名されたが、その他の錐体視細胞特異的視覚サブタイプがクローニングされた際に桿体アレスチン（rod arrestin）という用語が新たに作られた。これも後に誤った名称であることが判明した。アレスチン−１は桿体視細胞と錐体視細胞のどちらにも同等の極めて高いレベルで発現する。
【０００９】
・アレスチン−２は初めてクローニングされた非視覚アレスチンである。これは最初は単にβ−アレスチンと命名された。なぜならば、その当時精製された形で利用可能であった２種のＧＰＣＲであるロドプシンおよびβ2−アドレナリン受容体のうち後者に対して優先性を示したためである。
【００１０】
・アレスチン−３：２番目にクローニングされた非視覚アレスチンは、最初はβ−アレスチン−２と命名された（β−アレスチンの名称は遡及的にβ−アレスチン−１と変更された）。しかしその頃には非視覚アレスチンがβ2−アドレナリン受容体だけではなく数百もの異なるＧＰＣＲと相互作用することは明らかであった。その後すぐに、系統名のアレスチン−２およびアレスチン−３がそれぞれ提案された。
【００１１】
・アレスチン−４は２つのグループによってクローニングされ、発現している光受容体の種別から錐体アレスチン(cone arrestin)、遺伝子が存在する染色体からＸ−アレスチンとそれぞれ命名された。ＨＵＧＯデータベースでは、この遺伝子はアレスチン−３と称されている。
【００１２】
アレスチンはＧＰＣＲのＧタンパク質への共役を２つの機構により妨げる。１つ目は、受容体の細胞質側の先端へのアレスチンの結合によりヘテロ三量体Ｇタンパク質の結合部位を塞ぎ、その活性化を妨げる（脱感作）機構である。２つ目は、アレスチンが内在化機構の要素であるクラスリンおよびクラスリンアダプターＡＰ２（Ｃ末端尾部）へ受容体を結合させる機構である。クラスリンは被覆ピットを通じて受容体の内在化と、それに続くエンドソームと称される細胞内区画への輸送を促進する。続いて、受容体は分解区画（リソソーム）へと移動させられるかまたは細胞膜へとリサイクルされることができ、そこで再度シグナルとして機能しうる、アレスチンと受容体の相互作用の強さは、この選択において重要な役割を果たしている。複合体が強固であると受容体分解の可能性が高まるが、より一時的な複合体はリサイクルされやすい。しかしながら、この「規則」は決して絶対的なものではない。
【００１３】
従ってアレスチンは、Ｇタンパク質共役受容体（ＧＰＣＲ）の脱感作、内在化およびシグナル伝達を促進するアダプタータンパク質として機能する。アレスチンを介したＧタンパク質のシグナル伝達の消失は、アレスチン−１が視覚の光受容体であるロドプシンのリン酸化光活性化形へのその結合能によって光伝達を消失させる視覚系において、最もよく理解されている。
【００１４】
リガンドとそのそれぞれのＧＰＣＲとの結合能、例えばアレスチン−ロドプシン複合体によって、ＧＰＣＲ介在エキソサイトーシスまたはエンドサイトーシス生化学的プロセスの分野において疾患を診断および治療するための創薬および薬物スクリーニングの幅広いフィールドが拓かれる。国際公開第２００８／１１４０２０号には、高められた安定性を有するＧＰＣＲを選択するための方法が開示されている。前記方法は、ａ）親ＧＰＣＲの１種以上の変異体を準備するステップ、ｂ）リガンドを選択するステップ、ここで、前記リガンドは、ＧＰＣＲが特定の立体構造で存在している場合に前記親ＧＰＣＲに結合するリガンドであるものとする前記ステップ、ｃ）前記１種またはそれぞれの変異体ＧＰＣＲが、選択されたリガンドの結合に関して、そのリガンドの結合に関する前記親ＧＰＣＲの安定性と比較して高められた安定性を有するかどうかを決定するステップ、およびｄ）選択されたリガンドの結合に関して前記親ＧＰＣＲと比較して高められた安定性を有する変異体を選択するステップを含む。β−アドレナリン受容体、アデノシン受容体およびニューロテンシン受容体の異性体もまた、前記出願に開示されている。
【００１５】
残念ながら、親ＧＰＣＲと同一の生化学的挙動を示すＧＰＣＲの変異体の数は限られている。さらに変異体ＧＰＣＲは合成が相当困難であり、従って変異体ＧＰＣＲは高価であるために結合アッセイには相当コストがかかる。
【００１６】
従って本発明の一目的は、ＧＰＣＲとリガンドとの結合能をより低コストでかつより幅広い様々なリガンド−ＧＰＣＲ対で特定するための方法を提供することである。さらに本発明の一目的は、適したリガンドおよび／または適したリガンド／ＧＰＣＲ対によってリガンドとＧＰＣＲとの結合を安定化させることである。
【００１７】
前記目的は、本発明によれば、Ｇタンパク質共役受容体（以下ＧＰＣＲと称する）と変異可能なリガンドとの結合能を測定するための方法において、前記方法が、以下のステップ：
ａ）第一の行数および第二の列数を有する行列状に配置されたウェルを有するウェルマイクロタイタープレートを準備するステップ；
ｂ）ＧＰＣＲ、例えばロドプシンを前記ウェルの各々に供給するステップ；
ｃ）親リガンドの多数の変異体を準備するステップであって、その際、前記親リガンドは、前記ＧＰＣＲが特定の立体構造で存在している場合に前記ＧＰＣＲに結合するリガンドであるものとする、前記ステップ；
ｄ）前記ウェル中の親リガンドの変異体を、前記親リガンドが前記ＧＰＣＲに結合する条件下に、前記ＧＰＣＲと接触させるステップ；および
ｅ）各々の変異体について、前記ウェル中の結合した変異体−ＧＰＣＲ複合体の量を測定することにより、前記変異体リガンドが、前記親リガンドと前記ＧＰＣＲとの標準的な結合能と比較して弱い結合能を有しているかまたは強い結合能を有しているかを決定するステップ
を含む、前記方法により達成される。
【００１８】
従って本方法は、多数の変異体について、アッセイの同一のセットアップ条件内で、親リガンドの変異体の結合能を同時にスキャニングする機会を提供し、その際、変異可能なリガンドの有機構造は例えば国際公開第２００８／１１４０２０号において変異されたＧＰＣＲの構造と比較してより単純であるため、リガンドでの変異誘発を残基分割で行うことができる。さらに変異体の組み合わせによって、ＧＰＣＲ−リガンド複合体の結合親和性および安定性を、診断目的、薬理学的介入または創薬のために変更することができる。
【００１９】
ウェル中での反応条件の特定の勾配をもたらす条件を提供するために、本発明の好ましい一実施形態は、各行または各列のウェルについて同一の変異体を使用することであり、その際、ウェル中の反応条件、例えば塩濃度または溶剤は、前記行においてまたは前記列において、ウェルごとに変化する。
【００２０】
ウェル中での有利でかつ同等の反応条件を提供するために、前記反応条件を、同一の行または同一の列に属するウェルにおいて一定に保つことができる。
【００２１】
前記親リガンドと前記ＧＰＣＲとの結合の参照値をアッセイに提供するために、前記親リガンドを、ウェルマイクロタイタープレートの同一の行または同一の列に属する全てのウェルに添加することができる。換言すれば、前記変異体が試験される条件が前記親リガンド−ＧＰＣＲ対にも適用され、これによって、同時に試験される変異体についての結果の拡張性が高められる。従って、ウェルマイクロタイタープレートアッセイごとに異なるものと考えられる反応条件に対するいかなる影響をも、親リガンド−ＧＰＣＲ対について特定された参照値に基づいて排除することができる。
【００２２】
有利に、前記変異体は可溶化形で提供され、これによって、特定の変異体リガンドとＧＰＣＲとの結合能を調べるための非常に単純なアッセイ条件が可能となる。
【００２３】
本発明のさらなる好ましい一実施形態においては、前記親リガンドはリガンドのアゴニストクラスに由来しかつ前記特定の立体構造がアゴニスト立体構造であることができ、または前記親リガンドはリガンドのアンタゴニストクラスに由来しかつ前記特定の立体構造はアンタゴニスト立体構造である。好ましくは、前記親リガンドは、フルアゴニスト、パーシャルアゴニスト、インバースアゴニスト、アンタゴニストのいずれか１つであるか、または、前記親リガンドは、リガンドのインバースアゴニストクラスに由来しかつ前記特定の立体構造はインバースアゴニスト立体構造である。従って、前記リガンドによって、ＧＰＣＲと該当する変異体リガンドへのその結合の安定化とによって制御される／影響を受ける重要な様々な生体内の生化学反応への、結合能に関するアッセイ試験の適用が保証される。
【００２４】
本発明のさらなる好ましい一実施形態においては、前記親リガンドはＧＰＣＲに結合するポリペプチドである。好ましくは、前記ポリペプチドは、抗体、アンキリン、Ｇタンパク質、ＲＧＳタンパク質、アレスチン、ＧＰＣＲキナーゼ、受容体チロシンキナーゼ、ＲＡＭＰ、ＮＳＦ、ＧＰＣＲ、ＮＭＤＡ受容体サブユニットＮＲ１またはＮＲ２ａ、カルシオン（calcyon）、フィブロネクチンドメインフレームワーク、またはＧＰＣＲに結合するそれらの断片若しくは誘導体のいずれかである。
【００２５】
本発明のさらなる好ましい一実施形態においては、前記親リガンドの変異体は、親アミノ酸残基が１種以上の変異アミノ酸残基に置き換わった形態で準備される。好ましくは、前記親アミノ酸残基を個々にアラニン／グリシンに変異させることができる。
【００２６】
前記親リガンドがアレスチン１、アレスチン２、アレスチン３およびアレスチン４のうちの１つである場合に、結合能に関する優れた結果を達成することができる。好ましくは、親リガンドよりも高いＧＰＣＲへの結合親和性を有する親リガンドの変異体が、創薬の候補である。
【００２７】
変異体のリガンドとＧＰＣＲとの対に関して、上記目的は、変異体リガンド、好ましくは請求項１から１０までのいずれか１項に記載の方法により特定された変異体リガンドとＧＰＣＲとの対であって、前記対の結合安定性が、親リガンドと前記ＧＰＣＲとからなる対と比較して高い前記対によって達成される。それに応じて、変異体リガンドとＧＰＣＲとの対に関するその他の目的は、変異体リガンド、好ましくは請求項１から１０までのいずれか１項に記載の方法により特定された変異体リガンドとＧＰＣＲとの対であって、前記対の結合安定性が、親リガンドとＧＰＣＲとからなる対と比較して低い前記対によって達成される。
【００２８】
さらに、前記目的は本発明によれば、前記リガンドに関連して、アレスチン型の親リガンドの変異体リガンド、好ましくは請求項１から１０までのいずれか１項に記載の方法により特定された変異体リガンドであって、ＧＰＣＲとの結合安定性が、前記親リガンドと前記ＧＰＣＲとの対よりも高い前記変異体リガンドにより達成される。また前記目的は本発明によれば、アレスチン型の親リガンドの変異体リガンド、好ましくは請求項１から１０までのいずれか１項に記載の方法により特定された変異体リガンドであって、ＧＰＣＲとの結合安定性が、前記親リガンドと前記ＧＰＣＲとの対よりも低い前記変異体リガンドによっても達成される。
【００２９】
本発明のさらなる態様は、親リガンドとＧＰＣＲとの結合親和性と比較して高いかまたは低いＧＰＣＲに対する親和性に向けて最適化された変異体リガンドを用いた相補性アッセイを用いた薬物スクリーニングにおける、請求項１１若しくは１２に記載の対の、または請求項１３若しくは１４に記載の変異体リガンドの使用により達成される。
【００３０】
以下に、本発明の好ましい実施形態を以下の図面を参照してより詳細に説明する。
【図面の簡単な説明】
【００３１】
【図１】図１に、アレスチンのスキャニング変異誘発の概略を示す。
【図２】図２に、アレスチン−mCherryおよび未変性杆体外節（ＲＯＳ）膜中のロドプシンを用いた結合アッセイを模式的に示す。
【図３】図３に、アレスチンの変異体リガンドの半数阻害濃度ＩＣ50の推移に関する概略を示す。
【図４】図４に、アレスチン「スーパーバインダー」を生成するための変異の組み合わせに関する概略を示す。
【図５】図５に、アレスチン「スーパーバインダー」の系統的構築を模式的に示す。
【図６】図６に、単一アミノ酸分割でのアレスチン結合機構を模式的に示す。
【図７】図７に、アレスチン−ロドプシン複合体のモデルを模式的に示す。
【図８】図８に、アレスチンのＣ尾部がＧＰＣＲのリン酸化Ｃ尾部に置き換わることによる単一アミノ酸分割での尾部交換機構を模式的に示す。
【図９】図９に、他のアレスチンへの変異導入を模式的に示す。
【００３２】
第１表（本明細書の最後）に、ＧＰＣＲリガンドであるアレスチン−１の完全配列をカバーする変異体に関する相対的結合親和性を示す。ここで、アレスチン中の各アミノ酸位置はアラニン（Ａ）またはグリシン（Ｇ）に変異されている。
【００３３】
図１に、アレスチンのアミノ酸配列を示す。アレスチンのスキャニング変異誘発を公知のシークエンシング技術により行い、それによって各残基を個々にアラニン（Ａ）またはグリシン（Ｇ）へと変異させた。最初のシークエンシングの間に４０３種の変異体リガンドの約７４％が成功裏に生成された。さらなる変異誘発およびシークエンシングの繰り返しの後に完全なカバー率が達成された。
【００３４】
図２に模式的に示されているように、スキャニング変異誘発により得られたアレスチン−１の変異体で大腸菌（E . coli）を形質転換させる。野生型（親リガンド）に対する各変異体の相対的発現レベルを、アレスチンへのＣ末端mCherry融合体の蛍光を用いて測定した。複合体形成のために、アレスチンを、未変性ロドプシンキナーゼ（ＧＲＫ１）でリン酸化された杆体外節（ＲＯＳ）膜中のロドプシンと組み合わせる。異なるアレスチン変異体の発現における変動の影響を最小限に抑えるため、アッセイは、アレスチン−１の見かけの結合親和性の５〜５０ｎＭの過剰で１．２５μΜのロドプシンを含有していた。その結果、下記の通りに測定されたイオン強度の増加下では、機能発現されたアレスチン−１の量と変異体のロドプシンへの結合能との間に相関関係は認められなかった。
【００３５】
本例では、親ＧＰＣＲリガンドとしてのアレスチンとＧＰＣＲとしてのロドプシンとの複合体（対）についてより詳細に説明するが、本発明による方法は親リガンドとＧＰＣＲとのあらゆる任意の対のスキャンを許容するものである。特にウェルマイクロタイタープレートの使用によって、全ての変異リガンドに対して等しい反応条件下に同時に確立されうる広範なスキャニング実験が提供される。
【００３６】
より詳細には、図２は、アレスチン−mCherryと未変性ＲＯＳ膜中のロドプシンとの直接結合アッセイを示す。スキャニング変異誘発により変異されたアレスチンを含むプラスミドで大腸菌を形質転換させた。野生型に対する各変異体の相対的発現レベルを、アレスチンへのＣ末端mCherry融合体の蛍光を用いて測定した。複合体形成のために、アレスチンを、未変性ロドプシンキナーゼ（ＧＲＫ１）でリン酸化された杆体外節（ＲＯＳ）膜中のロドプシンと組み合わせる。本例における相対的結合の比較のために、毎回、１１種のアレスチン変異体と対照標準としての野生型アレスチンとを９６ウェルマイクロタイタープレート中で組み合わせ、８つの異なる塩濃度で、光活性化されたロドプシンへの結合に関して調べた。暗順応ロドプシンに関しては、各変異体について一点測定のみを行った。遠心分離および洗浄ステップの後、結合したアレスチンの量をmCherry融合タンパク質の蛍光を用いて定量した。得られたデータを可変勾配を有するシグモイド型用量反応曲線にフィッティングさせることによって、第１表に示すＩＣ50値および９５％信頼区間を抽出した。
【００３７】
４０３種のアレスチン変異体のライブラリーを、そのＩＣ50値に関してスクリーニングした。全ての測定を、アレスチン−mCherry融合タンパク質の蛍光定量化の枠内で実施した。結合性を高める変異体組み合わせを発見するために、アレスチン−１変異体ライブラリーから、測定された最も高いＩＣ50値を有する２４種の変異体のうち２３種の変異体を、Ｇ２９７Ａに関する１．１４ＭからＲ２９１Ａに関する０．５６Ｍの範囲内で選択した。これらを、最も強い結合変異であるＦ３７５Ａ（ＩＣ50＝１．３２±０．３１Ｍ）と組み合わせた。さらに、ＷＴ（野生型）よりも有意に高いＩＣ50値を有する１５種の変異体を選択した。対照標準として、ＷＴと類似（ＷＴ測定の標準偏差内）のＩＣ50値を有する１０種の変異体、およびＷＴよりも有意に低いＩＣ50値を有する２種の変異体、および機能発現レベルが低いために弱いシグナルを示した３種の変異体（Ｉ２４Ａ、Ｖ５７ＡおよびＩ１４９Ａ）を選択した。合計で５３種の二重変異体を構築した。ＩＣ50値に関するスクリーニング手順を、以前に使用した手順であってアッセイされる塩化ナトリウム濃度の第２の範囲を有するものへとさらに拡張した。それによって、十分な精度で高いＩＣ50値を有する変異体の結合データのフィッティングが可能となる。ＩＣ50値（図４）を導き出すために、それぞれの組み合わせられた変異体を双方の塩化ナトリウムスクリーニング範囲に供した。
【００３８】
図４は、変異体アレスチン−１とリン酸化活性化ロドプシンとから構成される複合体の形成に関する塩化ナトリウムの半数阻害濃度（ＩＣ50）値を示す。二重変異体（丸印）は、（左から右への）ＩＣ50値の減少によってソートされており、かつＦ３７５Ａ＋Ｘから構成されており、ここで、この単一変異体Ｘは下部に示されおりかつｘ軸上に名称が記載されている。三重変異体（三角形）はＦ３７５Ａ＋Ａ３０７Ｇ＋ＸまたはＦ３７５Ａ＋Ｔ３０４Ａ＋Ｘのいずれかから構成されており、一方で、四重変異体は、Ｆ３７５Ａ＋Ｔ３０４Ａ＋Ｅ３４１Ａ＋Ｘのように、またはＦ３７５Ａ＋Ｔ３０４Ａ＋Ｆ３８０Ａ＋Ｘのように組み合わされている。形状のサイズは該当する変異体の機能発現レベルを符号化したものであり、かつアレスチン−１野生型の機能発現レベルと比較されている（凡例）。この機能発現レベルは、ロドプシン結合に関して機能的であるアレスチンタンパク質のどれ位の量が、該当する変異体について１００ｍＭのＮａＣｌで野生型のアレスチン−mCherry構築体に対して発現されかつプルダウンされたかを示す。高められたＩＣ50を有する組み合わされた変異体の場合には、参照点は４９２ｍＭのＮａＣｌで変異体Ｆ３７５Ａであった。
【００３９】
５３種の二重変異体のうち４９種についてＩＣ50値を導き出すことができ、４種の二重変異体は検出限界未満のシグナル強度を示していた。約３分の２、正確には４９種の変異体のうち３３種が、Ｆ３７５Ａと類似の（Ｆ３７５Ａについての２３回の独立した測定において導き出されたＩＣ50値の標準偏差内、上記参照）ＩＣ50値を示していた。若干１２種の変異体がＦ３７５Ａよりも有意に高いＩＣ50値を有しており、４種の二重変異体が有意により低い値を有していた。変異の他の系列を、観察された最も高いＩＣ50値（２．８３Ｍ）を有するスクリーンをもたらした二重変異体Ａ３０７Ｇ＋Ｆ３７５Ａの上か、または、１２種の最良の結合変異体のうち１．１５ＭのＩＣ50値を有していた変異体Ｔ３０４Ａ＋Ｆ３７５Ａの上に追加した。構築された３８種の三重変異体のうち３５種の変異体についてのＩＣ50値を測定することができ、これらは３．５２〜１．０１Ｍの範囲であった。Ａ３０７Ｇを含む三重変異体は、極めて高い塩濃度において光活性化リン酸化ロドプシン（Ｒ*−Ｐ）に結合するが、量的には、形成された複合体の量は少なかった。このようにして、それぞれ２．７５Ｍおよび２．０９ＭのＩＣ50値を有する三重変異体Ｅ３４１Ａ＋Ｔ３０４＋Ｆ３７５ＡおよびＦ３８０Ａ＋Ｔ３０４Ａ＋Ｆ３７５Ａを選択し、それによって１５種の四重変異体を設計した。四重変異体については、２．９５Ｍ〜１．３７ＭのＩＣ50値が得られた。２種の四重変異体Ｒ１７１Ａ＋Ｅ３４１Ａ＋Ｔ３０４Ａ＋Ｆ３７５ＡおよびＤ３０３Ａ＋Ｅ３４１Ａ＋Ｔ３０４Ａ＋Ｆ３７５Ａは、ＷＴ値（０．４１±０．０５Ｍ）の７２０％および７１０％に相当するＩＣ50値に達した（図４、第２表）。最終的には、単一変異体を選択し、かつ組み合わせて四重変異体とすることによって、高イオン強度の圧力下に複合体の安定性を７倍超高めることができた。
【００４０】
簡単な例として、相対的結合の比較のために、１１種のアレスチン変異体と対照標準としてのＷＴアレスチンとを９６ウェルマイクロタイタープレート中で組み合わせ、かつ８つの異なる塩濃度（１００ｍＭ〜２．４Ｍ）で、暗所でのおよび光活性化されたロドプシンへの結合に関して調べた。遠心分離および洗浄ステップの後、結合したアレスチンの量をmCherry融合タンパク質の蛍光を用いて定量化した。得られたデータを可変勾配を有するシグモイド型用量反応曲線にフィッティングさせることによって、第１表（本明細書の最後）に挙げた半数阻害濃度（ＩＣ50）値および９５％信頼区間を抽出した。本明細書において説明された強結合変異および弱結合変異の選択肢を複数回測定することによって、ＩＣ50の測定値の精度を高めた。ＷＴアレスチンに関するＩＣ50値の変動は、放射性標識されたアレスチン−１を用いた事前の報告と一致して５９回の独立した実験から０．４１±０．０４Ｍであった。２５種の最良の結合変異のうち１３種は、生理的条件下で荷電している１０個の残基を含む極性残基に作用された。同様に、最も劣悪な２５種の結合変異のうち１０種が、４個の荷電残基を含む極性残基に作用された。極性残基と疎水性残基との間のこの均一な分布は、イオン強度の増加が主に親水性の相互作用に影響を与えるにもかかわらず、アッセイはバイアスされていないことを示す。このことは、ロドプシンに結合したアレスチンが多数の親水性および疎水性の相互作用ならびに特定の立体構造変化に関与し、かつ少数の荷電相互作用によっては支配されないという考えと一致している。
【００４１】
図３は、アレスチンの全ての単一変異体リガンドの半数阻害濃度（ＩＣ50値）の推移に関する概略を提供する。この試験は、第１表に挙げられた全ての４０３種のアレスチン変異体の結合能に関連する。アレスチン−mCherry融合タンパク質のプルダウンを使用して、この分析は、完全なアレスチンの配列をカバーする全ての４０３種の変異体のロドプシン結合の比較を含んでいる。この情報は、不活性型、予備活性化型および活性型アレスチンの結晶構造に対して機能的な第４の次元を提供する。得られた単一アミノ酸分割機能マップによって、極性コア内での、およびアレスチン活性化の間に中断されるアレスチンのＣ尾部に沿った、一連の重要な相互作用が明らかとなる。
【００４２】
このデータによってさらに、結合を強度に減少させかつロドプシンへの直接結合インターフェースとして作用するアミノ酸の複数のパッチが明らかになった。この情報と、活性型アレスチンおよび光活性化ロドプシンの計算分子ドッキングとを組み合わせることにより、図７に示すようなアレスチン−ロドプシン複合体のモデルを創出することができる。図４は、ロドプシンへのその結合親和性に関するアレスチン−１リガンドの変異の組み合わせを示す。角形の符号は、変異アミノ酸位置を１つのみ有する変異体リガンドを表し、円形の符号は、２つの変異アミノ酸位置を有する変異体リガンドを用いたアッセイを表し、かつ三角形の符号は、３つの変異アミノ酸位置を含む変異体リガンドを用いたアッセイを表す。菱形の符号は、アレスチン−１の四重変異体リガンドを表す。
【００４３】
従って、図５中の三角形の像は、ＧＰＣＲロドプシンへの優れた結合特性を有する変異アレスチンの系統的構築を表す。これらの「スーパーバインダー」は、アレスチン変異の反復的な組み合わせによって識別される。例えば、単一変異アミノ酸位置を有する変異体アレスチンであってこの単一変異アミノ酸位置のこの最初のクラスにおいて比較的高い結合能を示すものは、この単一変異アレスチンであって今度は第二の変異アミノ酸位置を有するものを用いた後続のアッセイの候補であり、以下同様に続く。
【００４４】
従って、図５中の三角形は、変異体アレスチンの結合親和性、変異体アレスチン安定性および機能発現という三角形レーダーにおいて、上記で説明した通り、より詳細には図４を参照して、特に３つまたは４つの変異アミノ酸位置を有する変異体リガンドについてのＩＣ50に関する有意に比較的高い値を示している。
【００４５】
従ってより全般的に言えば、本発明による方法も反復的なアプローチを適用することができる。この意味では、出発点は、単一変異アミノ酸位置を有するリガンドのスキャンと、結合能におけるそれぞれの応答の観察である。比較的高い結合能を有する単一変異リガンドが、次いで第二のアッセイに供され、その際、追加の第二のアミノ酸位置が変異される。これに応じて、優れた結合能を示す二重変異リガンドが、次いで第三のアッセイに供され、その際、追加の第三のアミノ酸位置が変異され、以下同様に続く。従ってこの反復アプローチを、生化学的反応性／結合能／機能的ポテンシャルの所望のレベルが達成されるまで行うことができる。この反復手法は、反対の意味で、結合するＧＰＣＲに関連して親リガンドと比較して特に低い生化学的反応性／結合能／機能的ポテンシャルを有する多重変異リガンドのサーチにおいても実行可能であることに留意しなければならない。
【００４６】
図６および図７におけるモデルは、アレスチンフィンガーループ並びにβ−ストランドＸＶおよびＸＶＩがロドプシンのＴＭ５／ＴＭ６とどのように相互作用するか、そして活性型受容体立体構造のためのセンサとしてどのように作用するかを示す。ホスホセンシングは、受容体の結合を遮る位置にアレスチンのＣ尾部を固定する一連のアミノ酸によって達成される（図８参照）。Ｃ尾部交換機構においては、アレスチンのＣ尾部が解放され、続いて受容体のリン酸化Ｃ末端で置き換えられる。
【００４７】
図７は、活性型アレスチンおよび光活性化ロドプシンの分子ドッキングから誘導されるアレスチン−ＧＰＣＲ複合体の概念モデルを示す。ロドプシンのリン酸化Ｃ末端がアレスチンＮ−ドメインに沿って結合し、かつアレスチンＣ末端の解放の間に露出した複数の荷電残基と相互作用する。フィンガーおよびラリアットループ（上方および中央の挿入図）は、ロドプシン活性化の間に隙間開口部に収まる。この位置で、アレスチンフィンガーループ中のＧｌｎ６９またはＡｓｐ７３が、アレスチン−１の結合に重要であるロドプシンのＴＭ２における２つの残基であるＬｅｕ７２およびＡｓｎ７３と相互作用しうる。ラリアットループはＴＭ６およびＴＭ７／Ｈ８の細胞質末端への接触を媒介し、２つの領域の相対位置はβ−アドレナリン受容体のバイアスされたシグナル伝達およびロドプシンへのアレスチン結合に関与する。Ｃ−ドメインのエッジ（下方の挿入図）は、リン脂質膜との相互作用やＧＰＣＲ二量体のための二次結合部位形成の可能な１組のアミノ酸を含む。
【００４８】
図８に、アレスチン−１の単一アミノ酸分割機能マップを示す。４０３種のアレスチン変異体の結合（ＩＣ50）値が、増加するリボン幅として、および、不活性型2、予備活性化型ｐ４４アレスチン3の結晶構造および結合した受容体ホスホペプチド4を有するアレスチン−２の結晶構造に基づくアレスチン−１モデルに対してプロットされた赤〜白〜青にわたる範囲のスペクトルとして示されている。３つの疎水性フェニルアラニン（Ｆ３７５、Ｆ３７７、Ｆ３８０）および荷電Ｒ３８２を含むいくつかの残基が、アレスチン−１のＣ尾部を３要素の相互作用および極性コア調節部位へと固定している。これらのキー残基およびそれらの相互作用パートナーの変異が、リン酸化光活性化ロドプシンへの結合の強度の増加をもたらす。ｐ４４アレスチンにおけるＣ尾部の欠損によって立体構造変化が生じ、この立体構造変化によって極性コアからＲ２９が解放され、かつ複数の他の荷電残基（Ｋ１４、Ｋ１５、Ｑ６９、Ｋ３００）が露出し、その変異によってリン酸化ロドプシンへの結合が強度に減少する。活性型アレスチンにおいては、これらの残基は受容体ペプチド（緑色、Ｖ２Ｒｐｐ）中のリン酸化セリンおよびトレオニンと直接相互作用する。これらのデータは全体として、アレスチン−１のＣ尾部が脱感作アレスチン複合体の形成の間にロドプシンのリン酸化Ｃ末端と交換されるホスホセンシング機構を示唆している。
【００４９】
図９は、他のアレスチンへの変異導入の概要を示す。太字で２０種の最良のバインダーが識別されている。薄灰色の文字は、ロドプシンＧＰＣＲへの２０種の最も劣悪なバインダーを示す。
【００５０】
第１表に、アレスチン−１における４０３種のアラニン／グリシン変異体に関する結合パラメータを挙げる。
【００５１】
存在するデータによるこれらの知見を、薬理学的に興味深いＧＰＣＲへのアレスチン−２＋３の結合を変更するために使用することができる。変異体の組み合わせによって、診断目的、薬理学的介入または創薬（例えば、β−アレスチンリクルートメントアッセイ、構造に基づく創薬、高活性ＧＰＣＲのサイレンシングなど）のための、ＧＰＣＲ−アレスチン複合体の結合親和性および安定性の変更が可能となる。
【００５２】
以下の第１表に、完全なアレスチン−１の配列をカバーする４０３種のアレスチン変異体に関する、リン酸化光活性化杆体外節（ＲＯＳ*−Ｐ）膜結合でのＮａＣｌのＩＣ50値のリストを示す。それぞれの単一変異体に関するＩＣ50値を、ＮａＣｌ濃度を増加させた（１００ｍＭ〜２．４Ｍ）８回の測定から、Ｒ2として示される適合度および９５％信頼区間としての偏差と共に得た。機能的に重要な残基の選択肢を複数回測定し、値を平均した。備考に挙げた１６種の変異は、（mCherry蛍光マーカーのゲル蛍光により示された場合に）発現しなかったかまたは発現が低すぎて信頼できるシグナルが得られなかったために、これらを分析から除いた。
【００５３】
【表１−１】
2016526664.tif 000003
【００５４】
【表１−２】
2016526664.tif 000004
【００５５】
【表１−３】
2016526664.tif 000005
【００５６】
【表１−４】
2016526664.tif 000006
【００５７】
【表１−５】
2016526664.tif 000007
【００５８】
【表１−６】
2016526664.tif 000008
【００５９】
以下の変異体は以前に構築されており、従来技術に属する：
【化１】
2016526664.tif 000009
【００６０】
以前に記載されていたこれらの変異体を、ロドプシンの様々な状態への結合に関して一点測定で分析した。塩化ナトリウムのＩＣ50値は、これらの変異体については以前には導き出されていなかった。
【００６１】
【化２】
2016526664.tif 000010
【００６２】
実験作業の詳細情報
変異体を発現させ、細胞を、バッファーＣ［１０ｍＭ  Ｈｅｐｅｓ（ｐＨ７．０）、１００ｍＭ  ＮａＣｌ、１ｍＭ  ＤＴＴ、１ｍＭ  ＭｇＣｌ2および０．１ｍＭ  ＥＤＴＡ］またはバッファーＤ（１．８４２Ｍ  ＮａＣｌを含有）中で破壊し、これら双方に０．２ｍｇ／ｍＬ  リゾチーム、２０μｇ／ｍＬ  ＤＮａｓｅ、１．５ｍＭ  ＰＭＳＦおよびプロテアーゼ阻害剤混合物Roche Completeを補足した。バッファーＣおよびプレートＣを用いる手順Ｃを、アレスチン−mCherry構築体の野生型、単一変異体および組み合わせ変異体に適用した。バッファーＤおよびプレートＤを用いる手順Ｄを、単一変異体Ｆ３７５Ａ、およびアレスチン−mCherry構築体の組み合わせ変異体に適用した。詳細には、バッファーＣ中の野生型または変異体アレスチン−mCherry構築体を含有する１．０２４ｍＬの透明な細胞溶解物を７６μＬのＲＯＳ−Ｐ*と混合し、一方で、バッファーＤ中の６３７．１μＬの透明な細胞溶解物を同一のＲＯＳ−Ｐ*（１．４５ｍｇ／ｍＬ）ストック８２．９μＬと混合して、それぞれマスター混合物ＣまたはＤを得た。マスター混合物Ｃを１００μＬに分けて９６ウェルプレートの８ウェルに分配し（以下、プレートＣと称する）、その際、各ウェルは塩化ナトリウムの量の増加を伴う１００μＬのバッファーＣを含んでおり、最終的に、８つの反応混合物中で、ＮａＣｌは１００、２４７、４９２、７３７および９８２ｍＭ、並びに１．４７２、１．９６２および２．４０３Ｍとなった。各プレートＣは、参照のための野生型アレスチン−mCherryおよび１１種の異なるアレスチン−mCherry変異体を含んでいた。マスター混合物Ｄを６０μＬに分けて９６ウェルプレートの８ウェルに移し（以下、プレートＤと称する）、その際、各ウェルは異なる量の塩化ナトリウムを含有する同一のバッファー１４０μＬを含んでおり、ＮａＣｌは、４９２、７３７および９８２ｍＭ、並びに１．４７２、１．９６２、２．４０３、３．１７６および３．９４９Ｍとなった。１１種の異なるアレスチン−mCherry変異体を、（参照としての）アレスチン−mCherry野生型構築体を含む各プレートＣを用いてアッセイし、かつ同一の量の変異体を、（参照としての）アレスチン−mCherry変異体Ｆ３７５Ａを含む各プレートＤを用いてアッセイした。各ウェル中の試料を混合し、３７℃で５分間インキュベートし、６分間光活性化させた。別個の９６ウェルプレートに以下の試料を充填し、並行して暗所で処理した：各マスター混合物Ｃの１００μＬの部分を１００μＬのバッファーＣと合一するか、または各マスター混合物Ｄの６０μＬの部分を、ＮａＣｌが４９２ｍＭとなるようにＮａＣｌを補充した１４０μＬのバッファーと合一した。全てのプレートを遠心分離し、上清を除去し、１００μＬのバッファーＣをプレートＣへ、または４９２ｍＭのＮａＣｌを含有する１００μＬのバッファーをプレートＤへ注意深く添加することによりペレットを洗浄した。暗所での対照標準も同様に処理した。プレートＣ中のペレットをバッファーＣを用いて再懸濁させ、プレートＤ中のペレットを４９２ｍＭのＮａＣｌを含有するバッファーを用いて再懸濁させた。プルダウンアレスチン−mCherryの定量を行った。第２表に、構築された変異体を列挙し、かつ測定回数およびそれから導き出されたＩＣ50およびＲ2値ならびに９５％信頼区間を示す。
【００６３】
ゲル内蛍光熱安定性アッセイ
アレスチン−mCherry融合タンパク質を発現させ、収穫し、溶解させた。５０ｍＬの細胞培養画分からの細胞溶解物を、２１，１００×ｇで４℃で２０分間の遠心分離（Centrifuge 5424R；Eppendorf）により透明化した。この溶解物を１００μＬに分けて１１個の１．５ｍＬチューブ（Sarstedt）に分配し、これを加熱ブロック（Dri-Block; Techne）に入れ、これを３０℃で平衡化させた。この温度を、各２．５分間で５℃の割合で手動で８０℃まで上昇させた。試料を順次全て２．５分間で採取し、氷上で冷却した。沈殿剤を１時間の遠心分離により除去した。各試料の上清１２μＬを３μＬの５×ＳＤＳローディング色素と混合した。全長アレスチン−mCherry構築体を、付属のチャンバー（Novex NuPAGE SDS-PAGE gel system; Life Technologies）中の８〜１２％のビス−トリス勾配ゲル（Novex NuPAGE; Life Technologies）を用いて、ＭＯＰＳバッファー中で２００Ｖおよび８０ｍＡで１時間のＳＤＳ−ＰＡＧＥにより分解タンパク質から分離した。mCherryまたはmCherry−タンパク質融合体の蛍光発光を、６０５ｎｍフィルター（ImageQuant RT ECL; GE Healthcare）を用いた３１２または３６５ｎｍでのタンパク質励起により検出した。蛍光強度をImageJ（NIH）により定量化し、Prismにプロットした。ボルツマンシグモイドフィッティングによって、溶融温度（ＴM）およびＲ2値および標準誤差を決定した。上記の新規のゲル内蛍光熱安定性アッセイにより導き出された、野生型のＶ１７０Ａ、Ｌ１７３ＡおよびＲ１７５ＡのＴM値を、蛍光色素ＣＰＭ、Ｎ−［４−（７−ジエチルアミノ−４−メチル−３−クマリニル）フェニル］マレイミドを用いた標準熱シフトアッセイにより導き出されたＴM値と比較した。ゲル内蛍光熱安定性アッセイは、単純さの点でＣＰＭアッセイよりも優れている：これは、タンパク質精製を必要とせず、低予算の実験室でも利用できる比較的安価な機器が用いられる。
【００６４】
以下の第２表は、Ｐ−Ｒ*との複合体の形成を妨害するためのＮａＣｌの半数阻害濃度（ＩＣ50）についてスクリーニングした構築変異体のリストを示す。その自然環境である杆体外節（ＲＯＳ）膜におけるＰ−Ｒ*への各変異体の結合を、１００〜２４０３ｍＭの範囲の８つの異なる塩化ナトリウム濃度で定量化した。フィッティングしたシグモイド型用量反応曲線が下部プラトーに達しなかった場合、測定を４９２〜３９４９ｍＭの塩の範囲について繰り返した。ＩＣ50、Ｒ2および９５％信頼区間を導き出した試験セットの数を示す。機能的アレスチンタンパク質の発現が低すぎて信頼性のあるＩＣ50値の決定ができなかった場合には、備考に記した。アレスチン変異体の溶融温度（ＴM）を上述のゲル内蛍光アッセイにより決定した。
【００６５】
【表２−１】
2016526664.tif 000011
【００６６】
【表２−２】
2016526664.tif 000012
【００６７】
添付の配列プロトコールにおいて、以下の関係が適用される：アレスチン−１＝ＳＥＱ  ＩＤ  Ｎｏ：１、アレスチン−２＝ＳＥＱ  ＩＤ  Ｎｏ：２、アレスチン−３＝ＳＥＱ  ＩＤ  Ｎｏ：３、およびアレスチン−４＝ＳＥＱ  ＩＤ  Ｎｏ：４。
【図１】
2016526664.tif 000013
【図２】
2016526664.tif 000014
【図３】
2016526664.tif 000015
【図４】
2016526664.tif 000016
【図５】
2016526664.tif 000017
【図６】
2016526664.tif 000018
【図７】
2016526664.tif 000019
【図８】
2016526664.tif 000020
【図９】
2016526664.tif 000021
【配列表】
2016526664000001.app
【手続補正書】
【提出日】平成28年2月25日(2016.2.25)
【手続補正１】
【補正対象書類名】特許請求の範囲
【補正対象項目名】全文
【補正方法】変更
【補正の内容】
【特許請求の範囲】
【請求項１】
Ｇタンパク質共役受容体（以下、ＧＰＣＲと称する）と変異可能なリガンドとの結合能を測定するための方法において、前記方法が、以下のステップ：
ａ．第一の行数および第二の列数で配置されたウェルを有するウェルマイクロタイタープレートを準備するステップ；
ｂ．ＧＰＣＲを前記ウェルの各々に供給するステップ；
ｃ．親リガンドの多数の変異体を準備するステップであって、その際、前記親リガンドは、前記ＧＰＣＲが特定の立体構造で存在している場合に前記ＧＰＣＲに結合するリガンドであるものとする、前記ステップ；
ｄ．前記ウェル中の親リガンドの変異体を、前記親リガンドが前記ＧＰＣＲに結合する条件下に、前記ＧＰＣＲと接触させるステップ；および
ｅ．各々の変異体について、前記ウェル中の結合した変異体−ＧＰＣＲ複合体の量を測定することにより、前記変異体リガンドが、前記親リガンドと前記ＧＰＣＲとの標準的な結合能と比較して弱い結合能を有しているかまたは強い結合能を有しているかを決定するステップ
を含む、前記方法。
【請求項２】
各行または各列において同一の変異体を使用し、その際、前記ウェル中の環境条件が、前記行または列においてウェルごとに変化する、請求項１に記載の方法。
【請求項３】
前記環境条件が、同一の行または同一の列に属するウェルにおいて一定である、請求項１または２に記載の方法。
【請求項４】
前記親リガンドを、前記ウェルマイクロタイタープレートの同一の行または同一の列に属する全てのウェルに添加する、請求項１から３までのいずれか１項に記載の方法。
【請求項５】
前記変異体の１種以上を可溶化形で準備する、請求項１から４までのいずれか１項に記載の方法。
【請求項６】
前記親リガンドがリガンドのアゴニストクラスに由来しかつ前記特定の立体構造がアゴニスト立体構造であるか、または前記親リガンドがリガンドのアンタゴニストクラスに由来しかつ前記特定の立体構造がアンタゴニスト立体構造であるか、または前記親リガンドがリガンドのインバースアゴニストクラスに由来しかつ前記特定の立体構造がインバースアゴニスト立体構造である、請求項１から５までのいずれか１項に記載の方法。
【請求項７】
前記親リガンドが、フルアゴニスト、パーシャルアゴニスト、インバースアゴニスト、アンタゴニストのいずれか１つである、請求項１から６までのいずれか１項に記載の方法。
【請求項８】
前記親リガンドがＧＰＣＲに結合するポリペプチドである、請求項１から７までのいずれか１項に記載の方法。
【請求項９】
前記ポリペプチドが、抗体、アンキリン、Ｇタンパク質、ＲＧＳタンパク質、アレスチン、ＧＰＣＲキナーゼ、受容体チロシンキナーゼ、ＲＡＭＰ、ＮＳＦ、ＧＰＣＲ、ＮＭＤＡ受容体サブユニットＮＲ１またはＮＲ２ａ、カルシオン、フィブロネクチンドメインフレームワーク、またはＧＰＣＲに結合するそれらの断片若しくは誘導体のいずれかである、請求項１から８までのいずれか１項に記載の方法。
【請求項１０】
前記親リガンドの変異体を、親アミノ酸残基が１種以上の変異アミノ酸残基に置き換わった形態で準備する、請求項１から９までのいずれか１項に記載の方法。
【請求項１１】
前記親アミノ酸残基を個々にアラニン／グリシンに変異させる、請求項７に記載の方法。
【請求項１２】
前記親リガンドが、アレスチン１、アレスチン２、アレスチン３およびアレスチン４のうちの１つである、請求項８に記載の方法。
【請求項１３】
前記親リガンドよりも高いＧＰＣＲへの結合親和性を有するリガンドの変異体が、創薬の候補である、請求項１から１２までのいずれか１項に記載の方法。
【請求項１４】
変異体リガンドとＧＰＣＲとの対であって、前記対の結合安定性が、親リガンドと前記ＧＰＣＲとからなる対と比較して高い、前記対。
【請求項１５】
変異体リガンドとＧＰＣＲとの対であって、前記対の結合安定性が、親リガンドと前記ＧＰＣＲとからなる対と比較して低い、前記対。
【請求項１６】
アレスチン型の親リガンドの変異体リガンドであって、ＧＰＣＲとの結合安定性が、前記親リガンドと前記ＧＰＣＲとの対よりも高い、前記変異体リガンド。
【請求項１７】
アレスチン型の親リガンドの変異体リガンドであって、ＧＰＣＲとの結合安定性が、前記親リガンドと前記ＧＰＣＲとの対よりも低い、前記変異体リガンド。
【請求項１８】
親リガンドとＧＰＣＲとの結合親和性と比較して高いかまたは低いＧＰＣＲに対する親和性に向けて最適化された変異体リガンドを用いた相補性アッセイを用いた薬物スクリーニングにおける、請求項１４若しくは１５に記載の対の、または請求項１６若しくは１７に記載の変異体リガンドの、使用。
【国際調査報告】
2016526664.tif 000022
2016526664.tif 000023
2016526664.tif 000024
2016526664.tif 000025
2016526664.tif 000026